(57)【要約】【課題】発光部の輝度差を低減することができる画像読取装置及び画像形成装置を得る。【解決手段】原稿読取装置１４は、第１方向に配置間隔Ｆで配置された複数の発光素子６１と、第１方向と交差する第２方向の幅がＳである導光部材６５と、第１方向の第１拡散角θ及び第２方向の第２拡散角φが発光素子６１の配置間隔Ｆと導光部材６５の幅Ｓの大小に基づき決定される拡散板６７と、読取原稿Ｇの被読取面ＧＡの画像を読み取る結像部２０とを有している。ここで、配置間隔Ｆ≧幅Ｓのとき、第１拡散角θ≧第２拡散角φで設定され、第１方向における光Ｌの輝度差が低くなる。一方、配置間隔Ｆ≦幅Ｓのとき、第１拡散角θ≦第２拡散角φで設定され、第２方向における光Ｌの輝度差が低くなる。これにより、拡散板６７上の輝度差を低減することができる。【選択図】図１０
2011024132.tif 000002
【特許請求の範囲】
【請求項１】
第１方向に配置間隔Ｆで配置された複数の点光源と、
複数の前記点光源から入射された光を出射面から被読取面に向けて出射すると共に、前記出射面の前記第１方向と交差する第２方向の幅Ｓが前記配置間隔Ｆより小である導光体と、
前記出射面から出射された光を前記第１方向が前記第２方向より大となる角度で拡散させる光拡散部と、
前記被読取面で反射された光を受光して、前記被読取面の画像を読み取る読取手段と、
を有する画像読取装置。
【請求項２】
第１方向に配置間隔Ｆで配置された複数の点光源と、
複数の前記点光源から入射された光を出射面から被読取面に向けて出射すると共に、前記出射面の前記第１方向と交差する第２方向の幅Ｓが前記配置間隔Ｆより大である導光体と、
前記出射面から出射された光を前記第１方向が前記第２方向より小となる角度で拡散させる光拡散部と、
前記被読取面で反射された光を受光して、前記被読取面の画像を読み取る読取手段と、
を有する画像読取装置。
【請求項３】
第１方向に配置間隔Ｆで配置された複数の点光源と、
複数の前記点光源から入射された光を出射面から被読取面に向けて出射すると共に、前記出射面の前記第１方向と交差する第２方向の幅Ｓが前記配置間隔Ｆと等しい導光体と、
前記出射面から出射された光を前記第１方向が前記第２方向と等しい角度で拡散させる光拡散部と、
前記被読取面で反射された光を受光して、前記被読取面の画像を読み取る読取手段と、
を有する画像読取装置。
【請求項４】
前記光拡散部が前記導光体と一体に設けられている請求項１から請求項３のいずれか１項に記載の画像読取装置。
【請求項５】
請求項１から請求項４のいずれか１項に記載の画像読取装置と、
前記画像読取装置の前記読取手段で読み取られた画像の情報に基づいて画像を形成する画像形成部と、
を有する画像形成装置。
【発明の詳細な説明】
【技術分野】
【０００１】
本発明は、画像読取装置及び画像形成装置に関する。
【背景技術】
【０００２】
従来、光源から出射された光を読取原稿に照射し、読取原稿で反射された光を結像レンズで光電変換素子に結像して画像を読み取る画像読取装置がある（例えば、特許文献１、２参照）。
【０００３】
特許文献１の画像読取装置は、回路基板上に一列に配列された各ＬＥＤチップ上に複数のファイバで構成されたファイバアレイプレートを設けており、各ＬＥＤチップから出力された光をファイバアレイプレートによって主走査方向に拡散させている。
【０００４】
特許文献２の画像読取装置は、ＬＥＤから出射された光を拡散する拡散部材が設けられている。この拡散部材は、突出した半球状に形成されてＬＥＤを覆うと共に主走査方向の光量分布を調整している。
【先行技術文献】
【特許文献】
【０００５】
【特許文献１】特開平０９−１３０５４５号公報
【特許文献２】特開２００８−２７１１５８号公報
【発明の概要】
【発明が解決しようとする課題】
【０００６】
本発明は、発光部の輝度差を低減することができる画像読取装置及び画像形成装置を得ることを目的とする。
【課題を解決するための手段】
【０００７】
本発明の請求項１に係る画像読取装置は、第１方向に配置間隔Ｆで配置された複数の点光源と、複数の前記点光源から入射された光を出射面から被読取面に向けて出射すると共に、前記出射面の前記第１方向と交差する第２方向の幅Ｓが前記配置間隔Ｆより小である導光体と、前記出射面から出射された光を前記第１方向が前記第２方向より大となる角度で拡散させる光拡散部と、前記被読取面で反射された光を受光して、前記被読取面の画像を読み取る読取手段と、を有する。
【０００８】
本発明の請求項２に係る画像読取装置は、第１方向に配置間隔Ｆで配置された複数の点光源と、複数の前記点光源から入射された光を出射面から被読取面に向けて出射すると共に、前記出射面の前記第１方向と交差する第２方向の幅Ｓが前記配置間隔Ｆより大である導光体と、前記出射面から出射された光を前記第１方向が前記第２方向より小となる角度で拡散させる光拡散部と、前記被読取面で反射された光を受光して、前記被読取面の画像を読み取る読取手段と、を有する。
【０００９】
本発明の請求項３に係る画像読取装置は、第１方向に配置間隔Ｆで配置された複数の点光源と、複数の前記点光源から入射された光を出射面から被読取面に向けて出射すると共に、前記出射面の前記第１方向と交差する第２方向の幅Ｓが前記配置間隔Ｆと等しい導光体と、前記出射面から出射された光を前記第１方向が前記第２方向と等しい角度で拡散させる光拡散部と、前記被読取面で反射された光を受光して、前記被読取面の画像を読み取る読取手段と、を有する。
【００１０】
本発明の請求項４に係る画像読取装置は、前記光拡散部が前記導光体と一体に設けられている。
【００１１】
本発明の請求項５に係る画像形成装置は、請求項１から請求項４のいずれか１項に記載の画像読取装置と、前記画像読取装置の前記読取手段で読み取られた画像の情報に基づいて画像を形成する画像形成部と、を有する。
【発明の効果】
【００１２】
請求項１の発明は、第１方向における配置間隔Ｆ及び第１方向と交差する第２方向の導光体の幅Ｓに関係なく第１方向と第２方向の光の拡散する大きさを決定したものに比べて、被読取面に照射される光の輝度差を低減することができる。
【００１３】
請求項２の発明は、第１方向における配置間隔Ｆ及び第１方向と交差する第２方向の導光体の幅Ｓに関係なく第１方向と第２方向の光の拡散する大きさを決定したものに比べて、被読取面に照射される光の輝度差を低減することができる。
【００１４】
請求項３の発明は、第１方向における配置間隔Ｆ及び第１方向と交差する第２方向の導光体の幅Ｓに関係なく第１方向と第２方向の光の拡散する大きさを決定したものに比べて、被読取面に照射される光の輝度差を低減することができる。
【００１５】
請求項４の発明は、導光体と光拡散部を個別に組付ける場合に比べて、導光体と光拡散部の組付工数を低減できる。
【００１６】
請求項５の発明は、第１方向における配置間隔Ｆ及び第１方向と交差する第２方向の導光体の幅Ｓに関係なく第１方向と第２方向の光の拡散する大きさを決定したものに比べて、画像の輝度差の低下を抑えることができる。
【図面の簡単な説明】
【００１７】
【図１】本発明の第１実施形態に係る画像形成装置の全体図である。
【図２】本発明の第１実施形態に係る画像形成ユニットの構成図である。
【図３】本発明の第１実施形態に係る自動原稿搬送装置及び原稿読取装置の構成図である。
【図４】本発明の第１実施形態に係る原稿読取装置の主要部の斜視図である。
【図５】本発明の第１実施形態に係る原稿読取装置の主要部の内部の斜視図である。
【図６】本発明の第１実施形態に係る原稿読取装置の主要部の副走査方向の断面図である。
【図７】本発明の第１実施形態に係る原稿読取装置の主要部の部分断面図である。
【図８】（ａ）、（ｂ）複数の発光素子の配置間隔が変化したときの読取原稿面上の主走査方向（第１方向）における光強度の分布状態の変化を示す模式図である。
【図９】導光部材内の光の進行状態及び第２方向における発光素子の鏡像の位置を示す模式図である。
【図１０】本発明の第１実施形態に係る拡散板から出射される光の拡散状態を示す斜視図である。
【図１１】（ａ）本発明の第１実施形態に係る拡散板から出射される光の拡散板上の主走査方向における相対強度分布を示すグラフである。（ｂ）本発明の第１実施形態に係る拡散板から出射される光の拡散板上の第２方向における相対強度分布を示すグラフである。
【図１２】（ａ）本発明の第１実施形態に係る発光素子の配置間隔が導光部材の幅よりも大きいときの拡散板から発光素子を見た状態を示す模式図である。（ｂ）本発明の第１実施形態に係る発光素子の配置間隔が導光部材の幅よりも大きいときの拡散板から出射される光の拡散状態を示す模式図である。
【図１３】（ａ）比較例における読取原稿面上の光強度の分布図である。（ｂ）本発明の第１実施形態に係る画像読取装置を用いたときの読取原稿面上の光強度の分布図である。
【図１４】（ａ）本発明の第２実施形態に係る発光素子の配置間隔が導光部材の幅と等しいときの拡散板から発光素子を見た状態を示す模式図である。（ｂ）本発明の第２実施形態に係る発光素子の配置間隔が導光部材の幅と等しいときの拡散板から出射される光の拡散状態を示す模式図である。
【図１５】（ａ）本発明の第３実施形態に係る発光素子の配置間隔が導光部材の幅よりも小さいときの拡散板から発光素子を見た状態を示す模式図である。（ｂ）本発明の第３実施形態に係る発光素子の配置間隔が導光部材の幅よりも小さいときの拡散板から出射される光の拡散状態を示す模式図である。
【図１６】（ａ）比較例における読取原稿面上の光強度の分布図である。（ｂ）本発明の第３実施形態に係る画像読取装置を用いたときの読取原稿面上の光強度の分布図である。
【発明を実施するための形態】
【００１８】
本発明の第１実施形態に係る画像読取装置及び画像形成装置の一例について説明する。
【００１９】
（全体構成）
図１に示すように、本実施形態に係る画像形成装置１０の装置本体１０Ａの上部には、複数枚の読取原稿Ｇを１枚ずつ自動で搬送する自動原稿搬送装置１２と、１枚の読取原稿Ｇが載せられるプラテンガラス４３と、自動原稿搬送装置１２によって搬送され又はプラテンガラス４３に載せられた読取原稿Ｇの被読取面ＧＡ（図６、７参照）を読み取る画像読取装置の一例としての原稿読取装置１４とが設けられている。また、装置本体１０Ａの中央部には、画像形成装置１０の各部の動作を制御する制御部７１が設けられている。なお、図中に示す矢印ＵＰは、鉛直方向上方を示し、矢印Ｈは水平方向を示している。
【００２０】
装置本体１０Ａの上下方向中央側には、互いに異なった色のトナー画像を形成する複数の画像形成ユニット３０が設けられている。さらに、画像形成ユニット３０の上側には、図中矢印Ａ方向に循環駆動しながら各色の画像形成ユニット３０で形成されたトナー画像が転写される無端状の中間転写ベルト３２が設けられている。なお、画像形成ユニット３０が画像形成部の一例に相当するものである。
【００２１】
画像形成ユニット３０としては、イエロー（Ｙ）、マゼンタ（Ｍ）、シアン（Ｃ）、黒（Ｋ）のトナー各色に対応して４つの画像形成ユニット３０Ｙ、３０Ｍ、３０Ｃ、３０Ｋが設けられており、最初に中間転写ベルト３２に転写されるイエロー（Ｙ）のトナー画像が形成される画像形成ユニット３０Ｙの位置が高く、最後に中間転写ベルト３２に転写される黒（Ｋ）のトナー画像が形成される画像形成ユニット３０Ｋの位置が低くなるように、画像形成ユニット３０Ｙ、３０Ｍ、３０Ｃ、３０Ｋは水平方向（矢印Ｈ方向）に対して傾斜した状態で並べられている。
【００２２】
これらの４つの画像形成ユニット３０Ｙ、３０Ｍ、３０Ｃ、３０Ｋは、基本的に、同じ部材で構成されている。なお、以下の説明では、各色を区別する場合には符号に各色に対応する文字（Ｙ、Ｍ、Ｃ、Ｋ）を付加し、特に区別しない場合には各色に対応する文字を省略する。
【００２３】
図２に示すように、各色の画像形成ユニット３０には、図示しない駆動手段によって回転する像保持体３４が設けられており、さらに、この像保持体３４の表面を帯電する一次帯電用の帯電部材３６が設けられている。
【００２４】
また、帯電部材３６に対して像保持体３４の回転方向の下流側には、帯電部材３６によって表面が帯電した像保持体３４の表面に各色に対応した光を露光して静電潜像を形成する露光装置４０が設けられ、露光装置４０に対して像保持体３４の回転方向の下流側には、像保持体３４の表面に形成された静電潜像を各色のトナーで現像し、トナー画像として可視化する現像器４２が設けられている。
【００２５】
なお、図１に示すように、中間転写ベルト３２の上方には、イエロー（Ｙ）、マゼンタ（Ｍ）、シアン（Ｃ）、黒（Ｋ）の各色の現像器４２に、各色のトナーを供給するトナーカートリッジ３８Ｙ、３８Ｍ、３８Ｃ、３８Ｋが設けられている。そして、黒（Ｋ）色のトナーを収容したトナーカートリッジ３８Ｋは、使用頻度に合わせて、他のカラーのトナーカートリッジ３８Ｙ、３８Ｍ、３８Ｃと比較して大型化されている。
【００２６】
一方、図２に示すように、中間転写ベルト３２を挟んで像保持体３４の反対側には、像保持体３４の表面に形成されたトナー画像を中間転写ベルト３２に転写するための一次転写部材４６が設けられている。さらに、像保持体３４から中間転写ベルト３２に転写されずに像保持体３４の表面に残留した残留トナー等を清掃するクリーニング装置４４が、像保持体３４の表面に接して、一次転写部材４６に対して像保持体３４の回転方向の下流側に設けられている。
【００２７】
この構成により、イエロー（Ｙ）、マゼンタ（Ｍ）、シアン（Ｃ）、黒（Ｋ）の各色の画像形成ユニット３０（Ｙ、Ｍ、Ｃ、Ｋ）に個別に設けられた露光装置４０（Ｙ、Ｍ、Ｃ、Ｋ）に各色の画像データが順次出力される。さらに、これらの露光装置４０（Ｙ、Ｍ、Ｃ、Ｋ）から画像データに応じて出射された光は、対応する像保持体３４の表面を露光し、像保持体３４の表面には静電潜像が形成される。像保持体３４の表面に形成された静電潜像は、現像器４２（Ｙ、Ｍ、Ｃ、Ｋ）によって、それぞれイエロー（Ｙ）、マゼンタ（Ｍ）、シアン（Ｃ）、黒（Ｋ）の各色のトナー画像として現像される。
【００２８】
さらに、像保持体３４の表面に順次形成されたイエロー（Ｙ）、マゼンタ（Ｍ）、シアン（Ｃ）、黒（Ｋ）の各色のトナー画像は、各色の画像形成ユニット３０（Ｙ、Ｍ、Ｃ、Ｋ）の上方に傾斜して配置される中間転写ベルト３２上に、一次転写部材４６によって多重に転写されるようになっている。
【００２９】
ここで、図１に示すように、中間転写ベルト３２は、中間転写ベルト３２に駆動力を付与する駆動ロール４８と、回転すると共に中間転写ベルト３２を裏面から支持する支持ロール５０と、中間転写ベルト３２に張力を付与する張力付与ロール５４と、第１従動ロール５６と、第２従動ロール５８とに予め定められた張力で巻き掛けられている。
【００３０】
さらに、中間転写ベルト３２の表面を清掃するクリーニング装置５２が、中間転写ベルト３２を挟んで駆動ロール４８の反対側に設けられており、このクリーニング装置５２は、装置本体１０Ａの前側（ユーザが立つ正面側）に設けられたフロントカバー（図示省略）を開放することで装置本体１０Ａに脱着自在とされている。
【００３１】
また、水平方向（矢印Ｈ方向）に対して予め定められた角度だけ傾斜した状態で配置された中間転写ベルト３２の低位側の端部には、中間転写ベルト３２上に一次転写されたトナー画像を記録媒体としての記録シートＰに二次転写するための二次転写部材６０が、支持ロール５０とで中間転写ベルト３２を挟むように配置されている。つまり、二次転写部材６０と支持ロール５０とで挟んだ位置が、記録シートＰへトナー画像を転写する二次転写位置とされている。
【００３２】
支持ロール５０及び二次転写部材６０の上方には、二次転写部材６０によってトナー画像が転写されると共に搬送経路６２に沿って搬送される記録シートＰにトナー画像を定着させる定着装置６４が設けられている。定着装置６４は、記録シートＰの画像面側に配置された加熱ロールと、記録シートＰを加熱ロールに向けて加圧する加圧ロールとで構成されている。
【００３３】
さらに、定着装置６４に対して記録シートＰの搬送方向の下流側（以下単に「搬送方向下流側」という）には、トナー画像が定着した記録シートＰを搬送する搬送ロール６６が設けられ、搬送ロール６６の搬送方向下流側には、記録シートＰの搬送方向を切り替える切替ゲート６８が設けられている。また、切替ゲート６８の搬送方向下流側には、一の方向に切り替えられた切替ゲート６８によって案内される記録シートＰを第１排出部６９に排出する第１排出ロール７０が設けられている。
【００３４】
さらに、切替ゲート６８の搬送方向下流側には、他の方向に切り替えられた切替ゲート６８によって案内され搬送ロール７３により搬送される記録シートＰを第２排出部７２に排出する第２排出ロール７４と、記録シートＰを第３排出部７６に排出する第３排出ロール７８が設けられている。
【００３５】
一方、二次転写部材６０に対して記録シートＰの搬送方向の上流側（以下単に「搬送方向上流側」という）には、記録シートＰが収容される給紙部８０、８２、８４、８６が設けられ、各給紙部８０、８２、８４、８６には、サイズの異なる記録シートＰが収容されている。
【００３６】
さらに、各給紙部８０、８２、８４、８６には、収容された記録シートＰを各給紙部８０、８２、８４、８６から搬送経路６２に持ち出す給紙ロール８８が設けられ、給紙ロール８８の搬送方向下流側には、記録シートＰを１枚ずつ搬送する搬送ロール９０及び搬送ロール９２が設けられている。また、搬送ロール９２の搬送方向下流側には、記録シートＰを一端停止させ、予め定められたタイミングで二次転写位置へ送り出す位置調整ロール９４が設けられている。
【００３７】
一方、記録シートＰの両面に画像を形成させるために、記録シートＰを反転させて搬送する両面用搬送ユニット９８が二次転写位置の側方に設けられており、両面用搬送ユニット９８には、搬送ロール７３を逆転させることで搬送される記録シートＰが送り込まれる反転経路１００が設けられている。そして、反転経路１００に沿って複数の搬送ロール１０２が設けられ、これらの搬送ロール１０２によって搬送された記録シートＰは表裏が反転された状態で、再度位置調整ロール９４へと搬送される構成となっている。
【００３８】
また、両面用搬送ユニット９８の隣りには、折り畳み式の手差給紙部１０６が設けられている。そして、開放された折り畳み式の手差給紙部１０６から給紙される記録シートＰを搬送する給紙ロール１０８及び搬送ロール１１０、１１２が設けられており、搬送ロール１１０、１１２で搬送された記録シートＰは、位置調整ロール９４に搬送されるようになっている。
【００３９】
次に、自動原稿搬送装置１２の構成について説明する。
【００４０】
図３に示すように、自動原稿搬送装置１２は、複数枚の読取原稿Ｇが上面に積載される原稿台１３と、原稿台１３から読取原稿Ｇを１枚ずつ送り出す送出ロール１５と、送出ロール１５により送り出された読取原稿Ｇを更に下流側まで搬送する第１搬送ロール１７と、を有している。
【００４１】
また、自動原稿搬送装置１２は、原稿台１３から送り出された読取原稿Ｇが最初に搬送される第１搬送路１９を有している。第１搬送路１９には、１枚ずつに分離された読取原稿Ｇを下流側のロールまで搬送する第２搬送ロール２１、読取原稿Ｇを更に下流側のロールまで搬送すると共にループ形成を行う第３搬送ロール２３、一旦、停止した後に読み込みタイミングを合わせて回転を再開し、原稿読取装置１４に対して読取原稿Ｇの先端位置調整を施しながら読取原稿Ｇを供給する位置調整ロール２５、読み取り中の読取原稿Ｇの搬送を補助する補助ロール２７、及び読み取られた読取原稿Ｇを更に下流に搬送する第４搬送ロール２９が設けられている。なお、第１搬送路１９には、搬送される読取原稿Ｇを案内するガイド部材が設けられているが、図示を省略している。
【００４２】
第４搬送ロール２９の下流側には、第２搬送路３１が設けられており、第２搬送路３１の下流側には、読み取りが終了した読取原稿Ｇを排出部３３へ排出させる排出ロール３５が設けられている。
【００４３】
一方、第２搬送路３１の下流側から第３搬送ロール２３に向かって、第２搬送路３１を経由した読取原稿Ｇを反転させるための第３搬送路３７が形成されている。そして、第２搬送路３１と第３搬送路３７との分岐位置には、読取原稿Ｇの搬送経路を第２搬送路３１又は第３搬送路３７に切り替える切替ゲート３９が設けられている。
【００４４】
ここで、送出ロール１５は、図示しないモータを含む駆動手段で上昇又は下降が行われるようになっており、画像形成装置１０の待機中には上昇して退避位置に保持され、読取原稿Ｇの搬送中には下降して原稿台１３上の最上位の読取原稿Ｇを搬送する。また、送出ロール１５および第１搬送ロール１７は、クラッチ機構（図示省略）の連結によって回転し読取原稿Ｇの搬送を行う。
【００４５】
第１搬送ロール１７、第２搬送ロール２１、及び第３搬送ロール２３は、停止している位置調整ロール２５に読取原稿Ｇの先端を突き当ててループを形成する。位置調整ロール２５では、ループ形成中に、位置調整ロール２５に噛み込んだ読取原稿Ｇの先端位置を調整する。この読取原稿Ｇのループ形成によって、読み込みタイミングの調整が図られ、また、読み込み中における読取原稿Ｇのずれ（スキュー）が抑制される。そして、読み込みの開始タイミングに合わせて、停止されていた位置調整ロール２５が回転を開始することで、読取原稿Ｇの読み取りが開始される。
【００４６】
切替ゲート３９は、読取原稿Ｇの片面の読み取りを開始するときに端部が上側に配置され、第４搬送ロール２９を経由した読取原稿Ｇを排出部３３に排出するように切り替えられる。一方、切替ゲート３９は、読取原稿Ｇの両面を順次読み取るときには、読取原稿Ｇを反転させるために第３搬送路３７に読取原稿Ｇを導くように端部が下降する。これにより、読取原稿Ｇは、第３搬送路３７を経由して再度第１搬送路１９に導かれる。
【００４７】
次に、原稿読取装置１４の構成について説明する。
【００４８】
原稿読取装置１４は、自動原稿搬送装置１２の下部に設けられた筐体４１の上部にプラテンガラス４３が取り付けられている。プラテンガラス４３は、読取原稿Ｇを静止させた状態で載せる第１プラテンガラス４３Ａと、搬送中の読取原稿Ｇを読み取るための光の透過部を形成する第２プラテンガラス４３Ｂとで構成されている。
【００４９】
また、原稿読取装置１４は、読取原稿Ｇの被読取面ＧＡ（図６参照）の画像を読み込むために発光する発光素子６１と、発光素子６１から出射された光を読取原稿Ｇの被読取面ＧＡに導く導光部材６５と、導光部材６５から出射され被読取面ＧＡで反射された光を反射する第１ミラー７５と、が取り付けられた第１キャリッジ１８と、第１キャリッジ１８の第１ミラー７５から入射された光を結像部２０へ導く第２ミラー４５Ａ及び第３ミラー４５Ｂが取り付けられた第２キャリッジ２２と、を有している。なお、結像部２０は、読取手段の一例に相当する。
【００５０】
第１キャリッジ１８は、初期位置である第２プラテンガラス４３Ｂの下（読取原稿Ｇの搬送面の下）に静止し、又は第１プラテンガラス４３Ａの全体に亘って読取原稿Ｇの被読取面ＧＡ（図７参照）に沿って移動しながら、発光素子６１の発光により読取原稿Ｇに光Ｌを照射して、読取原稿Ｇで反射された光Ｌを第２キャリッジ２２の第２ミラー４５Ａに導く。なお、第１キャリッジ１８の詳細な構成については後述する。
【００５１】
第２キャリッジ２２は、第１キャリッジ１８の第１ミラー７５から入射された光Ｌを下方へ反射する第２ミラー４５Ａと、第２ミラー４５Ａで反射された光Ｌを矢印Ｘ方向に折り返す第３ミラー４５Ｂとを有している。
【００５２】
結像部２０は、第３ミラー４５Ｂによって折り返された光Ｌ（光学像）を結像する結像用レンズ２４と、結像用レンズ２４によって結像された光学像を光電変換する光電変換素子２６とを有しており、光電変換素子２６によって変換された電気信号（画像信号）は、光電変換素子２６と電気的に接続された画像処理装置２８に送られる。画像処理装置２８では電気信号が画像処理され、前述の制御部７１（図１参照）によって、露光装置４０（図２参照）へ、その画像処理された画像信号が送られるようになっている。
【００５３】
ここで、まず、第１プラテンガラス４３Ａに載せられた読取原稿Ｇの画像を読み取る場合には、第１キャリッジ１８と第２キャリッジ２２とが、移動距離２：１の割合で移動方向（矢印Ｘ方向）に移動する。このとき、第１キャリッジ１８の発光素子６１から読取原稿Ｇの被読取面ＧＡ（図７参照）に光Ｌが照射されると共に、被読取面ＧＡで反射された光Ｌが第２キャリッジ２２に導かれ、光Ｌは、第２ミラー４５Ａ、第３ミラー４５Ｂの順に反射されて結像用レンズ２４に導かれる。そして、結像用レンズ２４に導かれた光Ｌは、光電変換素子２６の受光面に結像される。なお、第２キャリッジ２２の移動距離が第１キャリッジ１８の移動距離の半分となっていることで、読取原稿Ｇの被読取面ＧＡから光電変換素子２６までの光Ｌの光路長は変化しない。
【００５４】
光電変換素子２６は１次元のセンサであり、移動方向（矢印Ｘ方向）と交差する方向における読取原稿Ｇの１ライン分を処理している。原稿読取装置１４では、移動方向と交差する方向の１ラインの読み取りが終了した後、移動方向に第１キャリッジ１８を移動させて読取原稿Ｇの次のラインを読み取る。これを読取原稿Ｇの全体に亘って実行することで、１ページの読み取りが完了する。なお、以後の説明では、第１キャリッジ１８及び第２キャリッジ２２の移動方向を副走査方向と記載し、移動方向と交差する方向を主走査方向と記載する。
【００５５】
一方、第２プラテンガラス４３Ｂ上で読取原稿Ｇの画像を読み取る場合には、自動原稿搬送装置１２によって搬送される読取原稿Ｇが第２プラテンガラス４３Ｂの上を通過する。このとき、第１キャリッジ１８と第２キャリッジ２２は、原稿読取装置１４の一方端（図３の左端）に示す実線の読み取り位置に停止した状態にある。この読み取り位置において、まず、搬送されてきた読取原稿Ｇの１ライン目で反射された光Ｌが結像用レンズ２４で結像され、光電変換素子２６によって画像が読み込まれる。即ち、１次元のセンサである光電変換素子２６によって主走査方向の１ライン分を処理した後、搬送される読取原稿Ｇの次の主走査方向の１ラインが読み込まれる。そして、読取原稿Ｇの後端が第２プラテンガラス４３Ｂの読み取り位置を通過することによって、副走査方向に亘って読取原稿Ｇの１ページの読み取りが完了する。
（要部構成）
次に、第１キャリッジ１８に設けられる光学系の構成の詳細について説明する。
【００５６】
図４に示すように、第１キャリッジ１８は、主走査方向（矢印Ｙ方向）に間隔をあけて対向配置された２枚の側板５５Ａ、５５Ｂの上部に、主走査方向を長手方向として副走査方向（矢印Ｘ方向）に間隔をあけて配置された板金である第１ホルダー５１及び第２ホルダー５３の両端部が取り付けられて構成されている。また、側板５５Ａ、５５Ｂには、第３ホルダー４７、第４ホルダー４９が取り付けられている。
【００５７】
第１ホルダー５１及び第２ホルダー５３の上面は、第１キャリッジ１８の上面を形成しており、読取原稿Ｇの被読取面ＧＡ（図６参照）と対向配置される。なお、側板５５Ａと側板５５Ｂの主走査方向の配置間隔は、読取原稿Ｇ（図１参照）の主走査方向の画像形成領域の幅よりも大きくなっている。
【００５８】
第１ホルダー５１は、副走査方向の断面がＬ字状となっており、第１キャリッジ１８の上面としての上壁５１Ａと、第１キャリッジ１８の副走査方向（移動方向）前方の側壁５１Ｂとで構成されている。上壁５１Ａの端部は、下方側へ向けて折り曲げられている。また、第１ホルダー５１の内側で側壁５１Ｂの下部には、主走査方向を長手方向として副走査方向の断面が逆レ字状のブラケット５７の一方の平面部５７Ａがネジ７７で固定されている。
【００５９】
図５に示すように、ブラケット５７の他方の傾斜配置された平面部５７Ｂには、主走査方向を長手方向とする回路基板５９Ａ上に点光源の一例である発光素子６１が主走査方向に沿って複数配置された光源５９が取り付けられている。回路基板５９Ａは、端部に接続されたフレキシブル基板６３を介して制御部７１（図１参照）から給電されるようになっている。なお、本実施形態では、発光素子６１としてＬＥＤ（Ｌｉｇｈｔ  Ｅｍｉｔｔｉｎｇ  Ｄｉｏｄｅ）素子を用いている。
【００６０】
ここで、画像形成装置１０の制御部７１（図１参照）には、光源５９を駆動させるための光源駆動回路（図示省略）が内蔵されている。この光源駆動回路は、発光素子６１のオン及びオフを切り替えるスイッチと、各発光素子６１から読取原稿Ｇ（図１参照）に照射される光の光量を調整する抵抗器とを備えている。そして、光源駆動回路は、発光素子６１の発光のオン及びオフを制御するための光源駆動信号、及び光の光量を調整するための調整信号に基づいて光源５９を駆動するようになっている。
【００６１】
図６に示すように、各発光素子６１は、読取原稿Ｇの被読取面ＧＡに対して予め定められた角度で傾斜配置されている。これにより、発光素子６１から読取原稿Ｇに向けて出射された光は、読取原稿Ｇの被読取面ＧＡに対して予め定められた傾斜方向から入射して散乱されるため、読取原稿Ｇの被読取面ＧＡに対して垂直に光を入射した場合に比べて、読取原稿Ｇの下地（白）での正反射が抑えられ、画像の輝度差（コントラスト）の低下が抑えられている。
【００６２】
また、第１キャリッジ１８内には、各発光素子６１の発光面と対向して、主走査方向を長手方向とする導光体の一例に相当する導光部材６５が配設されている。導光部材６５は、一例として、アクリル樹脂を直方体状に成形したものであり、主走査方向の両端部が側板５５Ａ、５５Ｂで支持されている。また、導光部材６５は、指向性を有する光を少なくとも主走査方向に拡散させると共に、発光素子６１から出射された光を読取原稿Ｇ（図１参照）の読取位置近くまで導くようになっている。
【００６３】
図７に示すように、導光部材６５は、光Ｌが入射する光入射面６５Ｂと、光Ｌが出射する光出射面６５Ａと、幅（厚み）方向で上方（読取原稿Ｇ側）に位置する上側面６５Ｃと、上側面６５Ｃと対向すると共に上側面６５Ｃの下方に位置する下側面６５Ｄとを有している。そして、上側面６５Ｃ及び下側面６５Ｄは、光Ｌが全反射して導光部材６５内を進行するように予め表面粗さが設定されている。
【００６４】
これにより、導光部材６５の発光素子６１と対向する面とは反対側の光出射面６５Ａでは、光源５９の発光素子６１からの光が内部で全反射して出射するようになっており、光出射面６５Ａにおける光量分布のばらつきが抑えられている。なお、導光部材６５は、光源５９から入射した光を読取位置近くまで導くため、光量が減衰しにくい材料で成形することが望ましい。導光部材６５の他の材料としては、ポリカーボネート樹脂、ポリイミド樹脂、ガラス等がある。
【００６５】
導光部材６５の光出射面６５Ａには、主走査方向を長手方向として透光性を有する光拡散部の一例である拡散板６７が接合されている。拡散板６７は、一例としてアクリル樹脂で構成されており、拡散板６７の光の出射面には、導光部材６５の光出射面６５Ａから入射した光を拡散させる凹凸パターン（図示省略）が形成されている。この凹凸パターンの形状を変化させることより、拡散板６７から出射した光は、円形又は楕円形に整形される。なお、拡散板６７の他の材料としては、ポリカーボネート樹脂、ポリエステル樹脂、ガラス等がある。ここで、拡散板６７は、導光部材６５に接合されて、一体とされているため、拡散板６７と導光部材６５を別々に第１キャリッジ１８に取り付ける場合に比べて、取り付け工数は短くなる。
【００６６】
一方、拡散板６７から副走査方向へ予め定められた距離だけ離間した位置には、拡散板６７から出射された光を反射して読取原稿Ｇの読取位置（被読取面ＧＡ）まで導く反射板７９が配置されている。反射板７９は、主走査方向を長手方向とする鏡面体であり、光の反射面とは反対側の面が第２ホルダー５３の傾斜面に固定されている。
【００６７】
また、導光部材６５及び拡散板６７よりも下方側には、読取原稿Ｇで反射された光を第２キャリッジ２２の第２ミラー４５Ａ（図３参照）に導く第１ミラー７５が設けられている。第１ミラー７５は、側板５５Ａ、５５Ｂ（図４参照）に形成された穴部に両端部が挿通されて保持されている。
【００６８】
次に、第２プラテンガラス４３Ｂ上に搬送されてきた読取原稿Ｇの画像を読み取るときの読み取り動作について説明する。
【００６９】
図６に示すように、第１キャリッジ１８は、第２プラテンガラス４３Ｂと対向する位置で停止している。そして、第１キャリッジ１８では、読み取り動作が開始されると、第２プラテンガラス４３Ｂ上に読取原稿Ｇが搬送されると共に各発光素子６１が発光する。各発光素子６１から出射された光Ｌは、予め定められている発散角で拡がりながら導光部材６５内部に入射すると共に導光部材６５の内部で臨界角より大きい角度で進み、即ち全反射しながら光出射面６５Ａへ進み、拡散板６７で拡散される。
【００７０】
ここで、読取原稿Ｇの被読取面ＧＡで反射され第１ミラー７５に向かう光Ｌの光軸を光軸ＬＴとすると、拡散板６７で拡散された光Ｌの一部は、第２プラテンガラス４３Ｂを通って光軸ＬＴの一方側から読取原稿Ｇに照射され、光Ｌの残りは、反射板７９で反射された後に第２プラテンガラス４３Ｂを通って光軸ＬＴの他方側から読取原稿Ｇに照射される。そして、読取原稿Ｇに照射された光Ｌは、読取原稿Ｇの被読取面ＧＡで反射された後に第１ミラー７５で反射されて、図３に示すように、第２キャリッジ２２から結像用レンズ２４を経て光電変換素子２６で結像され、画像情報の読み取りが行われる。
【００７１】
次に、第１プラテンガラス４３Ａ上に載せられた読取原稿Ｇの画像を読み取るときの読み取り動作について説明する。
【００７２】
図７に示すように、第１プラテンガラス４３Ａ上に読取原稿Ｇが載せられて読み取り動作が開始されると、第１キャリッジ１８が副走査方向（矢印Ｘ方向）に移動すると共に発光素子６１が発光する。そして、発光素子６１から出射された光Ｌは、予め定められている発散角で拡がりながら光入射面６５Ｂから導光部材６５内部に入射する。導光部材６５の内部では、光Ｌが上側面６５Ｃ及び下側面６５Ｄで全反射しながら光出射面６５Ａへ進む。
【００７３】
続いて、導光部材６５の光出射面６５Ａから出射された光Ｌは、拡散板６７で拡散され、一部が光ＬＡとして読取原稿Ｇに向かって進むと共に、残りが光ＬＢとして反射板７９に向かって進む。そして、光ＬＡは、第１プラテンガラス４３Ａに入射して屈折すると共に、読取原稿Ｇの読み取り位置Ｘ０に照射される。一方、光ＬＢは、反射板７９で反射され第１プラテンガラス４３Ａに入射して屈折すると共に読取原稿Ｇの読み取り位置Ｘ０に照射される。なお、読み取り位置Ｘ０は、読取原稿Ｇに照射された光Ｌの強度分布の中心位置である。
【００７４】
続いて、読取原稿Ｇの読み取り位置Ｘ０で反射され拡散光となった光Ｌのうち、光軸ＬＴに沿って下方側に向かう光Ｌは第１ミラー７５で反射される。そして、図３に示すように、第２キャリッジ２２の第２ミラー４５Ａ及び第３ミラー４５Ｂから結像用レンズ２４を経て光電変換素子２６で結像される。
【００７５】
次に、複数の発光素子６１の配置間隔Ｆと拡散板６７上での光Ｌの光強度（輝度）との関係について説明する。また、発光素子６１の配置間隔Ｆは、主走査方向において、一つの発光素子６１の中心位置から隣の発光素子６１の中心位置までの距離とする。
【００７６】
図８（ａ）に示すように、隣り合う発光素子６１Ａ、６１Ｂの主走査方向（矢印Ｙ方向）の配置間隔がＦ１であり、発光素子６１Ａから発散角αで進み導光部材６５を通った光Ｌの拡散板６７上の出射位置が位置Ａ１、Ｂ１、Ｂ２、発光素子６１Ｂから発散角αで進み導光部材６５を通った光Ｌの拡散板６７上の出射位置が位置Ａ２、Ｂ２、Ｂ３であったとする。位置Ａ１、Ａ２は直進した光Ｌの出射位置であり、位置Ｂ１、Ｂ２、Ｂ３は最も発散した光Ｌの出射位置である。
【００７７】
ここで、位置Ａ１、Ａ２では、光Ｌの光軸上で且つ光強度分布の中心となるため、光強度が高くなる。また、位置Ｂ２（位置Ｂ１、Ｂ３も同様）では、光強度分布の中心からずれているものの、発光素子６１Ａからの光Ｌと発光素子６１Ｂからの光Ｌとが到達するため、光強度が高くなる。これにより、複数の発光素子６１の配置間隔がＦ１のときは、拡散板６７上の主走査方向位置、即ち、被読取面ＧＡ上の主走査方向位置が変わっても、光強度はほとんど変わらない状態となる。
【００７８】
一方、図８（ｂ）に示すように、隣り合う発光素子６１Ａ、６１Ｂの主走査方向（矢印Ｙ方向）の配置間隔がＦ２（＞Ｆ１）であり、発光素子６１Ａから発散角αで進み導光部材６５を通った光Ｌの拡散板６７上の出射位置が位置Ａ３、Ｂ４、Ｂ５、発光素子６１Ｂから発散角αで進み導光部材６５を通った光Ｌの拡散板６７上の出射位置が位置Ａ４、Ｂ６、Ｂ７であったとする。位置Ａ３、Ａ４は直進した光Ｌの出射位置であり、位置Ｂ４、Ｂ５、Ｂ６、Ｂ７は最も発散した光Ｌの出射位置である。
【００７９】
ここで、位置Ａ３、Ａ４では、光Ｌの光軸上で且つ光強度分布の中心となるため、光強度が高くなる。また、位置Ｂ４、Ｂ５、Ｂ６、Ｂ７では、光強度分布の中心からずれており且つ光の到達領域が重なっていないため、光強度が位置Ａ３、Ａ４に比べて低くなる。これにより、複数の発光素子６１の配置間隔がＦ２のときは、拡散板６７上の主走査方向位置が変わると光強度も変わることになる。このように、複数の発光素子６１の配置間隔Ｆが、主走査方向（矢印Ｙ方向）の光強度分布状態に影響を与えることが分かる。
【００８０】
次に、導光部材６５の幅Ｓと拡散板６７上での光Ｌの光強度（輝度）との関係について説明する。
【００８１】
図９には、発光素子６１、導光部材６５、及び拡散板６７をＹ方向から見た状態が示されている。なお、本実施形態では、矢印Ｘ方向が第１キャリッジ１８（図６参照）の移動方向で且つ副走査方向であり、Ｙ方向が主走査方向で且つ矢印Ｘ方向と交差する第１方向に相当する。また、矢印Ｍ方向が第１方向と交差（ここでは一例として直交）すると共に拡散板６７の面内方向となる第２方向であり、矢印Ｎ方向が第２方向と交差（ここでは一例として直交）する拡散板６７の面外方向である。
【００８２】
導光部材６５は、第１方向から見た断面が幅Ｓ×高さＨの長方形となっており、第２方向の幅がＳとなっている。なお、本実施形態では、拡散板６７の第２方向の幅についてもＳとして説明するが、拡散板６７の第２方向の幅は、導光部材６５と同じ幅でなくてもよい。また、本実施形態（第１、第２実施形態）では、設置領域の制約等により、矢印Ｎ方向の導光部材６５の高さＨが、発光素子６１の配置間隔Ｆと導光部材６５の幅Ｓとの大小で変更されないようになっている。
【００８３】
導光部材６５では、発光素子６１から入射した光Ｌが直進し、又は側面で全反射しながら拡散板６７へ進む。なお、導光部材６５の側面での光Ｌの全反射は、当該側面を対称面とする鏡像である発光素子６１Ｃ、６１Ｄからの入射光とみなすことができ、発光素子６１と発光素子６１Ｃの配置間隔、及び発光素子６１Ｃと発光素子６１Ｄの配置間隔は、いずれも導光部材６５の幅Ｓとなる。即ち、発光素子６１の鏡像は、導光部材６５の幅Ｓで並ぶことになる。
【００８４】
ここで、導光部材６５の高さＨ（矢印Ｎ方向の長さ）を変えずに幅Ｓが大きくなると、主走査方向（第１方向）における発光素子６１の配置間隔Ｆを大きくしたときと同様に、第２方向における光Ｌの光強度（輝度）分布が変化し、部分的に光強度が低下する。そして、読取原稿Ｇ上の副走査方向（矢印Ｘ方向）位置が変わると光強度も変わることになる。このことから、導光部材６５の第２方向の幅Ｓが、副走査方向（矢印Ｘ方向）の光強度分布状態に影響を与えることが分かる。
【００８５】
以上説明したように、拡散板６７上での主走査方向、副走査方向の光強度分布状態は、主走査方向（第１方向）の発光素子６１の配置間隔Ｆ、及び第２方向の導光部材６５の幅Ｓによって変化するため、本実施形態では、発光素子６１の配置間隔Ｆと、導光部材６５の幅Ｓと、に基づいて拡散板６７から出射される光Ｌの拡散角を規定することにした。
【００８６】
次に、拡散板６７の拡散角について説明する。
【００８７】
図１０に示すように、拡散板６７は、第１方向（矢印Ｙ方向）の拡散角を第１拡散角θ、第２方向の拡散角を第２拡散角φとして、導光部材６５から入射した光Ｌが第１拡散角θ、第２拡散角φで拡散するように凹凸パターンが形成されている。
【００８８】
ここで、図１１（ａ）に示すように、拡散板６７（図１０参照）上の第１方向の光強度（相対強度）は、相対強度１００％を強度分布中心として分布しており、第１拡散角θは、相対強度が強度分布中心の半値の５０％となる拡散角（２θ）の１／２で定義されている。同様にして、図１１（ｂ）に示すように、拡散板６７（図１０参照）上の第２方向の光強度（相対強度）は、相対強度１００％を強度分布中心として分布しており、第２拡散角φは、相対強度が強度分布中心の半値の５０％となる拡散角（２φ）の１／２で定義されている。
【００８９】
なお、第１拡散角θ、第２拡散角φは拡散板６７での拡散角特性であり、拡散板６７から出射される光Ｌの第１方向、第２方向における実際の光強度は、それぞれ発光素子６１から入射する光Ｌ各々が拡散した強度分布を合成したものとなる。
【００９０】
ここで、図１２（ａ）に示すように、第１実施形態では、導光部材６５の第２方向（矢印Ｍ方向）の幅Ｓが、発光素子６１の第１方向（矢印Ｙ方向）の配置間隔Ｆよりも小さく（Ｆ＞Ｓ）なっているので、拡散板６７は、第１拡散角θが第２拡散角φ以上となるように凹凸パターンが形成されている。
【００９１】
次に、第１実施形態の作用について説明する。
【００９２】
図１２（ｂ）に示すように、発光素子６１が発光して導光部材６５内部を通った光Ｌは、拡散板６７で拡散され、第１拡散角θが第２拡散角φよりも大きくなり、第１方向を長軸方向として楕円状に拡がりながら進む。これにより、拡散板６７上の輝度差が小さくなる。
【００９３】
このように、本実施形態では、発光素子６１の第１方向（矢印Ｙ方向）の配置間隔Ｆが、導光部材６５の第２方向（矢印Ｍ方向）の幅Ｓより大きくなっていても、拡散板６７上の輝度差が小さくなる。
【００９４】
次に、拡散板上の光Ｌの輝度分布をシミュレーションにより算出した結果について説明する。
【００９５】
図１３（ａ）には、比較例として、図１０における発光素子６１の第１方向（矢印Ｙ方向）の配置間隔Ｆ＝８．８ｍｍ、導光部材６５の第２方向（矢印Ｍ方向）の幅Ｓ＝５．５ｍｍ、及び導光部材６５の矢印Ｎ方向の高さＨ＝１９ｍｍとし、第１方向の第１拡散角θ＝１０°、第２方向の第２拡散角φ＝１０°と設定したときの、拡散板６７上の光Ｌの輝度分布算出結果が示されている。なお、図１３（ａ）中では、光Ｌの輝度が５段階で表示されており、輝度Ｄ１、Ｄ２、Ｄ３、Ｄ４、Ｄ５の高さは、Ｄ１＜Ｄ２＜Ｄ３＜Ｄ４＜Ｄ５となっている。
【００９６】
ここで、比較例では、配置間隔Ｆ＞幅Ｓの条件において、第１拡散角θ＝第２拡散角φ＝１０°と設定していたため、第１方向又は第２方向で位置がずれたときの輝度差（ΔＤとする）が大きいものでΔＤ＝（Ｄ５−Ｄ１）となっている。
【００９７】
一方、図１３（ｂ）には、本実施形態として、図１０における発光素子６１の第１方向の配置間隔Ｆ＝８．８ｍｍ、導光部材６５の第２方向の幅Ｓ＝５．５ｍｍ、及び導光部材６５の矢印Ｎ方向の高さＨ＝１９ｍｍとし、第１方向の第１拡散角θ＝２０°、第２方向の第２拡散角φ＝１０°と設定したときの、拡散板６７上の光Ｌの輝度分布算出結果が示されている。なお、図１３（ａ）中の輝度の段階と同じ段階となる領域については、図１３（ａ）と同じ符号を用いて表示する。
【００９８】
ここで、本実施形態では、配置間隔Ｆ＞幅Ｓの場合に該当するため、第１拡散角θ＞第２拡散角φとなるように第１拡散角θ＝２０°、第２拡散角φ＝１０°と設定しているが、輝度Ｄ３の領域が広がっており、第１方向又は第２方向で位置がずれたときの輝度差ΔＤは、大きいところでΔＤ＝（Ｄ４−Ｄ２）となった。即ち、比較例よりも本実施形態の方が、拡散板６７上の光Ｌの輝度差が低くなることが確認された。なお、１箇所の輝度Ｄ１は、面積が輝度分布算出面の全体の面積の１％以下であったため除外した。
【００９９】
次に、画像読取装置の第２実施形態について説明する。なお、前述した第１実施形態と基本的に同じ部品には、前記第１実施形態と同じ符号を付与してその説明を省略する。
【０１００】
図１４（ａ）に示すように、第２実施形態では、導光部材６５と同じ材質で構成され、且つ第２方向（矢印Ｍ方向）の幅Ｓが発光素子６１の第１方向（矢印Ｙ方向）の配置間隔Ｆと等しい導光部材１２０及び拡散板１２２を用いている。そして、拡散板１２２は、第１拡散角θが第２拡散角φと等しくなるように凹凸パターンが形成されている。
【０１０１】
次に、第２実施形態の作用について説明する。
【０１０２】
図１４（ｂ）に示すように、導光部材１２０及び拡散板１２２を用いた場合、光Ｌの第１拡散角θ＝第２拡散角φであり、光Ｌは円形に拡がるため、拡散板１２２上の輝度差が小さくなる。
【０１０３】
次に、画像読取装置の第３実施形態について説明する。なお、前述した第１、第２実施形態と基本的に同じ部品には、前記第１、第２実施形態と同じ符号を付与してその説明を省略する。
【０１０４】
図１５（ａ）に示すように、第２実施形態の原稿画像読取装置１４０では、第１実施形態の原稿読取装置１４（図３参照）の導光部材６５及び拡散板６７（図３参照）に換えて、導光部材１３０及び拡散板１３２を設けた構成となっている。
【０１０５】
導光部材１３０は、導光部材６５と同じ材質で構成されており、第２方向（矢印Ｍ方向）の幅Ｓが、発光素子６１の第１方向（矢印Ｙ方向）の配置間隔Ｆよりも大きく（Ｆ＜Ｓ）なっているので、拡散板１３２は、第２拡散角φが第１拡散角θ以上となるように凹凸パターンが形成されている。なお、導光部材１３０の矢印Ｎ方向（図１０参照）の高さは、導光部材６５と同じである。
【０１０６】
次に、第３実施形態の作用について説明する。
【０１０７】
図１５（ｂ）に示すように、発光素子６１が発光して導光部材１３０内部を通った光Ｌは、拡散板１３２で拡散されて第２拡散角φが第１拡散角θよりも大きくなり、第２方向を長軸方向として楕円状に拡がりながら進む。これにより、拡散板１３２上の輝度差が小さくなる。
【０１０８】
このように、本実施形態では、導光部材６５の第２方向の幅Ｓが、発光素子６１の第１方向の配置間隔Ｆより大きくなっていても、被読取面ＧＡに照射される光Ｌの第２方向の輝度差が小さくなる。
【０１０９】
次に、拡散板上の光Ｌの輝度分布をシミュレーションにより算出した結果について説明する。
【０１１０】
図１６（ａ）には、比較例として、図１０における発光素子６１の第１方向（矢印Ｙ方向）の配置間隔Ｆ＝５．５ｍｍ、導光部材６５の第２方向（矢印Ｍ方向）の幅Ｓ＝８ｍｍ、及び導光部材６５の矢印Ｎ方向の高さＨ＝１９ｍｍとし、第１方向の第１拡散角θ＝１０°、第２方向の第２拡散角φ＝１０°と設定したときの、拡散板６７上の光Ｌの輝度分布算出結果が示されている。なお、図１３（ａ）中の輝度の段階と同じ段階となる領域については、図１３（ａ）と同じ符号（Ｄ１、Ｄ２、Ｄ３、Ｄ４、Ｄ５）を用いて表示する。
【０１１１】
ここで、比較例では、配置間隔Ｆ＜幅Ｓの条件において、第１拡散角θ＝第２拡散角φ＝１０°と設定していたため、第１方向又は第２方向で位置がずれたときの輝度差（ΔＤとする）が大きいものでΔＤ＝（Ｄ５−Ｄ２）となっている。
【０１１２】
一方、図１６（ｂ）には、本実施形態として、図１０における発光素子６１の第１方向の配置間隔Ｆ＝５．５ｍｍ、導光部材６５の第２方向の幅Ｓ＝８ｍｍ、及び導光部材６５の矢印Ｎ方向の高さＨ＝１９ｍｍとし、第１方向の第１拡散角θ＝１０°、第２方向の第２拡散角φ＝２０°と設定したときの、拡散板６７上の光Ｌの輝度分布算出結果が示されている。なお、図１６（ａ）中の輝度の段階と同じ段階となる領域については、図１６（ａ）と同じ符号を用いて表示する。
【０１１３】
ここで、本実施形態では、配置間隔Ｆ＜幅Ｓの場合に該当するため、第１拡散角θ＜第２拡散角φとなるように第１拡散角θ＝１０°、第２拡散角φ＝２０°と設定しているが、輝度Ｄ３の領域が広がっており、第１方向又は第２方向で位置がずれたときの輝度差ΔＤは、大きいところでもΔＤ＝（Ｄ３−Ｄ２）となった。即ち、比較例よりも本実施形態の方が、拡散板６７上の光Ｌの輝度差が低くなることが確認された。なお、２箇所の輝度Ｄ４は、面積が輝度分布算出面の全体の面積の１％以下であったため除外した。
【０１１４】
以上説明したように、本実施形態（第１、第２、第３実施形態）の原稿読取装置１４（図３参照）では、拡散板６７、１２２、１３２上の光Ｌの輝度差が第１方向及び第２方向で低くなるので、見た目のまぶしさが低減され、また、カール原稿読取りなどで発生する読取り画像濃度変化が抑えられる。
【０１１５】
なお、本発明は上記の実施形態に限定されない。
【０１１６】
拡散板６７は、導光部材６５の光出射面６５Ａに接合されるものに限らず、光出射面６５Ａから離れて導光部材６５と別体となっているものであってもよい。
【符号の説明】
【０１１７】
１０  画像形成装置
１４  原稿読取装置（画像読取装置の一例）
２０  結像部（読取手段の一例）
３０  画像形成ユニット（画像形成部の一例）
６１  発光素子（点光源の一例）
６５  導光部材（導光体の一例）
６５Ａ  光出射面（出射面の一例）
６７  拡散板（光拡散部の一例）
１２０  導光部材（導光体の一例）
１２２  拡散板（光拡散部の一例）
１３０  導光部材（導光体の一例）
１３２  拡散板（光拡散部の一例）
ＧＡ  被読取面
Ｍ  第２方向
Ｙ  第１方向
【図１】
2011024132.tif 000003
【図２】
2011024132.tif 000004
【図３】
2011024132.tif 000005
【図４】
2011024132.tif 000006
【図５】
2011024132.tif 000007
【図６】
2011024132.tif 000008
【図７】
2011024132.tif 000009
【図８】
2011024132.tif 000010
【図９】
2011024132.tif 000011
【図１０】
2011024132.tif 000012
【図１１】
2011024132.tif 000013
【図１２】
2011024132.tif 000014
【図１３】
2011024132.tif 000015
【図１４】
2011024132.tif 000016
【図１５】
2011024132.tif 000017
【図１６】
2011024132.tif 000018